(57)【特許請求の範囲】
【請求項１】
複数の移動体内に配置された電子装置から前記複数の移動体の走行データを取得する取得部と、
予め設定された経路における前記複数の移動体の走行状態を前記走行データに基づいて評価する評価部と、
前記評価部の評価結果に基づいて前記経路を含む領域ごとに前記電子装置のユーザまたは前記ユーザが所属するグループの順位を決定する順位決定部と、
前記順位決定部が決定した前記順位に基づいて前記領域ごとの仮想的な所有権を付与する前記ユーザまたは前記グループを決定する所有権決定部と
を備えることを特徴とする運転評価サーバ。
【請求項２】
前記領域ごとに複数の前記経路を設定する経路設定部をさらに備え、
前記経路設定部は、
前記複数の経路を所定のタイミングで変更すること
を特徴とする請求項１に記載の運転評価サーバ。
【請求項３】
前記取得部は、
前記経路周辺の店舗にあるそれぞれの店舗端末から前記ユーザによる商品およびサービスの一方または両方の購入履歴の情報を取得し、
前記順位決定部は、
前記評価部の前記評価結果および前記購入履歴の情報に基づいて前記ユーザの順位を決定すること
を特徴とする請求項１または２に記載の運転評価サーバ。
【請求項４】
前記電子装置に対して前記経路周辺の店舗に関する情報を出力する店舗情報出力部を備えること
を特徴とする請求項３に記載の運転評価サーバ。
【請求項５】
前記購入履歴の情報に基づいて前記店舗ごとに前記ユーザによる売り上げを集計する売上集計部と、
所定の条件を満たすユーザへの特典の送付を依頼する店舗を前記売上集計部の集計結果に基づいて決定する店舗決定部とを備え、
前記店舗決定部は、
前記売上集計部による集計結果に基づいて前記領域ごとに売り上げが上位の店舗に決定すること
を特徴とする請求項３または４に記載の運転評価サーバ。
【請求項６】
前記評価部は、
安全運転および省燃費運転のうち少なくとも一方に関する評価を行うこと
を特徴とする請求項１〜５のいずれか一つに記載の運転評価サーバ。
【請求項７】
前記電子装置は、
ドライブレコーダであること
を特徴とする請求項１〜６のいずれか一つに記載の運転評価サーバ。
【請求項８】
コンピュータが実行する運転評価方法であって、
複数の移動体内に配置された電子装置から前記複数の移動体の走行データを取得する取得工程と、
予め設定された経路における前記複数の移動体の走行状態を前記走行データに基づいて評価する評価工程と、
前記評価工程での評価結果に基づいて前記経路を含む領域ごとに前記電子装置のユーザまたは前記ユーザが所属するグループの順位を決定する順位決定工程と、
前記順位決定工程が決定した当該順位に基づいて前記領域ごとの仮想的な所有権を付与する前記ユーザまたは前記グループを決定する所有権決定工程と
を含むことを特徴とする運転評価方法。
【請求項９】
複数の移動体内に配置された電子装置から前記複数の移動体の走行データを取得する取得手順と、
予め設定された経路における前記複数の移動体の走行状態を前記走行データに基づいて評価する評価手順と、
前記評価手順での評価結果に基づいて前記経路を含む領域ごとに前記電子装置のユーザまたは前記ユーザが所属するグループの順位を決定する順位決定手順と、
前記順位決定手順が決定した当該順位に基づいて前記領域ごとの仮想的な所有権を付与する前記ユーザまたは前記グループを決定する所有権決定手順と
をコンピュータに実行させることを特徴とする運転評価プログラム。
【発明の詳細な説明】
【技術分野】
【０００１】
本発明は、運転評価サーバ、運転評価方法および運転評価プログラムに関する。
【背景技術】
【０００２】
従来、運転評価装置において、現在の車両の運転状態に基づいて現在の車両の運転状態が省燃費運転であるか否かを評価し、評価結果をユーザに報知する技術が知られている（例えば、特許文献１参照）。
【先行技術文献】
【特許文献】
【０００３】
【特許文献１】特開２００９−２８８１６３号公報
【発明の概要】
【発明が解決しようとする課題】
【０００４】
しかしながら、上記した従来技術は、ユーザに自身の運転状態を把握させるものであり、他のユーザに対する相対的な位置づけを考慮した評価ではなく、ユーザの安全運転や低燃費運転を促進する点において改善の余地があった。
【０００５】
本発明は、上記に鑑みてなされたものであって、ユーザに安全運転や低燃費運転に対する意識を向上させることができる運転評価サーバ、運転評価方法および運転評価プログラムを提供することを目的とする。
【課題を解決するための手段】
【０００６】
上述した課題を解決し、目的を達成するために、本発明は、運転評価サーバにおいて、取得部と、評価部と、順位決定部とを備える。取得部は、複数の移動体内に配置された電子装置から前記複数の移動体の走行データを取得する。評価部は、予め設定された経路における前記複数の移動体の走行状態を前記走行データに基づいて評価する。順位決定部は、前記評価部による評価結果に基づいて前記電子装置のユーザの順位を決定する。
【発明の効果】
【０００７】
本発明によれば、ユーザに安全運転や低燃費運転に対する意識を向上させることが可能な運転評価サーバ、運転評価方法および運転評価プログラムを提供することができる。
【図面の簡単な説明】
【０００８】
【図１】図１は、本実施形態に係る運転評価方法の概要を示す図である。
【図２Ａ】図２Ａは、本実施形態に係る運転評価システムの構成例を示す図である。
【図２Ｂ】図２Ｂは、陣取りゲームの概要を示す図である。
【図３Ａ】図３Ａは、本実施形態に係る電子装置であるドライブレコーダの構成例を示す図である。
【図３Ｂ】図３Ｂは、本実施形態に係る電子装置であるユーザ端末の構成例を示す図である。
【図４】図４は、本実施形態に係る運転評価サーバの構成例を示す図である。
【図５】図５は、評価基準情報の具体例を示す図である。
【図６】図６は、陣取りゲームにおける変則ルールを説明する図である。
【図７】図７は、本実施形態に係る店舗端末の構成例を示す図である。
【図８】図８は、本実施形態に係る運転評価サーバによる処理手順を示すフローチャートである。
【発明を実施するための形態】
【０００９】
以下に、本発明に係る運転評価サーバ、運転評価方法および運転評価プログラムの実施形態を添付図面に基づいて詳細に説明する。なお、この実施形態によりこの発明が限定されるものではない。また、以下の説明では、移動体が車両である場合について説明するが、移動体は、バイク、自転車、船舶、電車などであってもよい。
【００１０】
まず、本実施形態に係る運転評価方法の概要について図１を用いて説明する。図１は、本実施形態に係る運転評価方法の概要を示す図である。かかる運転評価方法は、例えば、図１に示す運転評価サーバ１および複数の各車両内に配置される電子装置５０によって実行される。
【００１１】
図１に示すように、まず、運転評価サーバ１は、複数の車両内に配置された電子装置５０から無線通信網や広域データ通信網などを含むネットワークを介して複数の車両の走行データを取得する（ステップＳ１）。ここで、走行データには、例えば、車両の現在の走行位置や速度、舵角、アクセル開度、エンジン回転数などを示すデータが含まれる。また、かかる電子装置５０は、例えば、車両に搭載されたドライブレコーダやナビゲーション装置であるが、スマートフォンやタブレット端末などの可搬性の機器などであってもよい。
【００１２】
続いて、運転評価サーバ１は、予め設定された経路における複数の車両の走行状態を走行データに基づいて評価する（ステップＳ２）。なお、図１では、かかる経路が、地図上に表示された経路Ｒ１である場合について例示している。なお、以下では、予め設定された経路を評価対象経路と記載する場合がある。
【００１３】
また、走行状態の評価とは、例えば安全運転や省燃費運転などに関する走行状態の評価を意味する。つまり、運転評価サーバ１は、複数の車両内に配置された電子装置５０から各車両の走行データを取得し、経路Ｒ１上における各車両の走行状態を安全運転や省燃費運転に関して評価することになる。
【００１４】
なお、運転評価サーバ１は、安全運転に関する評価と、省燃費運転に関する評価とを並列して同時に実行することにしてもよいし、安全運転に関する評価および省燃費運転に関する評価のうち少なくとも一方に関する評価のみを行うことにしてもよい。
【００１５】
続いて、運転評価サーバ１は、ステップＳ２における評価結果に基づいて各電子装置５０のユーザ、すなわち各車両のドライバの順位を決定する（ステップＳ３）。例えば、運転評価サーバ１は、安全運転および省燃費運転に関する評価が高かった電子装置５０のユーザ（以下、単に「ユーザ」と記載する）から順に順位付けを行う。
【００１６】
このように、本実施形態に係る運転評価サーバ１は、予め設定した経路内での走行状態を評価し、ユーザの順位を決定する。したがって、ユーザの順位を統一した条件下で決定することが可能となる。
【００１７】
また、運転評価サーバ１は、統一した条件下でユーザの順位を決定するので、ユーザの順位を公平に決定することができる。また、運転評価サーバ１では、各ユーザに順位を競い合わせることで、ユーザに安全運転や省燃費運転に対する意識を楽しみながら向上させることができる。
【００１８】
さらに、運転評価サーバ１は、各車両の走行データを蓄積し、ビッグデータ化することで、かかるビッグデータを車両の製品開発やアフターサービスなどに活用することができる。
【００１９】
続いて、本実施形態に係る運転評価システム１００の構成例について図２Ａを用いて説明する。図２Ａは、本実施形態に係る運転評価システム１００の構成例を示す図である。図２Ａに示すように、運転評価システム１００は、上記した運転評価サーバ１および電子装置５０に加えて、店舗端末１５０を含む。
【００２０】
図２では、運転評価システム１００が、一つの運転評価サーバ１と、複数の電子装置５０および複数の店舗端末１５０で構成される場合について例示している。また、運転評価システム１００では、運転評価サーバ１、各電子装置５０および各店舗端末１５０は、無線通信網や広域データ通信網などを含むネットワークを介して互いに通信可能に接続され、互いに情報を送受信することができる。
【００２１】
運転評価サーバ１は、上記したように各電子装置５０から各車両の走行データを取得し、ユーザごとに走行状態を評価する。そして、かかる評価結果に基づいて各ユーザの順位を決定する。また、運転評価サーバ１は、かかる評価結果および順位に関する情報を各電子装置５０に送信する。
【００２２】
電子装置５０は、各車両内に配置され、例えば車両に備えられたセンサなどから車両の走行データを取得し、取得した走行データを運転評価サーバ１に送信する。
【００２３】
また、電子装置５０は、運転評価サーバ１から走行状態の評価結果やユーザの順位を取得すると、かかる評価結果や順位をユーザに報知する。これにより、ユーザは、評価結果や現在の順位を把握することができる。ユーザが、現在の順位を把握し、より良い順位を目指すことで、ユーザの安全運転や省燃費運転への取り組みが強化される。
【００２４】
店舗端末１５０は、例えば、評価対象経路の近傍の店舗に配置される。そして、かかる店舗でユーザが買い物などを行った場合に、かかるユーザを任意の方法で識別する機能を有する。そして、識別したユーザに関する情報（以下、「ユーザ情報」と記載する）を運転評価サーバ１から取得する。かかるユーザ情報は、例えば、名前、職業、メールアドレス、住所、年齢、趣味嗜好、家族構成などに関する情報を含む。
【００２５】
店舗端末１５０は、かかるユーザ情報を取得すると、かかるユーザ情報を解析する。これにより、かかる解析結果を店舗の集客力向上に役立たせることができる。また、店舗の管理者は、かかるユーザ情報を利用して、ユーザにダイレクトメールを送付するなどといった営業活動を行うこともできる。
【００２６】
このように、運転評価システム１００を、運転評価サーバ１および電子装置５０に加えて、店舗端末１５０を含む構成とすることで、ユーザの安全運転や省燃費運転に対する意識を向上させることのみならず、店舗の収益向上にも寄与することができる。なお、運転評価システム１００を、店舗端末１５０を備えない構成にすることにしてもよい。
【００２７】
また、運転評価システム１００では、ユーザが安全運転や省燃費運転に対する意識をより楽しみながら向上させるために、例えば、ユーザ同士で日本全国の仮想的な所有権を奪い合う陣取りゲームを提供することができる。
【００２８】
以下、図２Ｂを用いてかかる陣取りゲームの概要について説明する。図２Ｂは、陣取りゲームの概要を示す図である。
【００２９】
まず、ユーザは、かかる陣取りゲーム専用のアプリを電子装置５０にインストールし、かかるアプリを介してユーザ登録を行う。ユーザ登録を行うと上記したユーザ情報が運転評価サーバ１に記憶され、ユーザには、ユーザＩＤが与えられる。
【００３０】
続いて、ユーザは、車両に搭乗し、アプリを起動させた状態で評価対象経路を走行する。なお、図２Ｂでは、かかる評価対象経路が、経路Ｒ１および経路Ｒ２である場合を例示しているが、かかる経路は、日本各地に複数設定されているものとする。
【００３１】
続いて、運転評価サーバ１は、各電子装置５０から受信した走行データに基づきユーザごとに経路Ｒ１や経路Ｒ２などの評価対象経路における走行状態を評価し、評価結果を集計する。そして、運転評価サーバ１は、集計した評価結果に基づいてユーザの順位を決定する。運転評価サーバ１は、例えば、評価対象経路ごとの走行状態に応じて評価ポイントをユーザに付与し、かかる評価ポイントをユーザごとに集計してユーザの順位を決定する。
【００３２】
つまり、ユーザは、多くの評価対象経路を走行することで、多くの評価ポイントを獲得することになり、ユーザの順位も向上することになる。なお、運転評価サーバ１では、例えば、ユーザが同一の評価対象経路を何度も走行する場合、かかる経路内での評価ポイントが最も高い評価ポイントのみを集計し、順位を決定することにしてもよい。
【００３３】
また、運転評価サーバ１は、ユーザが評価ポイントを獲得した経路を含む領域ごとに集計してユーザの順位を決定し、かかる順位に基づいてかかる領域の仮想的な所有権を付与するユーザを決定する。
【００３４】
つまり、各領域で評価ポイントを最も多く獲得したユーザにかかる領域の仮想的な所有権が与えられる。なお、かかる領域は、例えば、各市町村単位であるが、これに限られず、都道府県単位などであってもよい。かかる領域を各市町村単位とする場合、各市町村内で最も評価ポイントを多く獲得したユーザにかかる市町村の仮想的な所有権が付与される。
【００３５】
このように、運転評価サーバ１では、評価ポイントの高いユーザに仮想的な所有権を付与することで、ユーザの安全運転や省燃費運転に対する意識を楽しみながら向上させることができる。なお、以下では、上記した評価対象経路を含む領域を陣地と記載する場合がある。
【００３６】
また、ユーザは、陣取りゲームに参加するにあたり、複数のグループのうち少なくとも一つに所属することとし、運転評価サーバ１は、ユーザが所属するグループごとに集計される評価ポイントに基づいてグループの順位を決定することもできる。この場合、かかる順位に基づいて各陣地の仮想的な所有権を付与するグループを決定することになる。
【００３７】
なお、図２Ｂには、グループＡおよびグループＢに所定の陣地が与えられている場合について例示している。このように、ユーザがグループ単位で所有権を取り合うことで、一人で陣取りゲームに参加する場合に比べてグループの仲間と楽しみながらゲームに参加できるようになる。また、ユーザがグループの仲間と協力することで、効率よく陣地を獲得することもできる。
【００３８】
なお、かかるグループは、運転評価システム１００で、各ユーザをランダムに各グループに振り分けることにしてもよいし、ユーザが友達同士などの任意のグループでグループを構成することにしてもよい。
【００３９】
また、陣取りゲームでは、評価対象経路周辺にある店舗端末１５０を備える店舗でのユーザによる商品やサービスの購入履歴の情報に基づいてユーザに評価ポイントを付与することにしてもよい。このように、ユーザが評価ポイントを購入履歴によっても獲得可能とすることで、かかる店舗でのユーザの買物などを促進することになる。このため、陣取りゲームによれば、かかる店舗の収益を向上させることができる。
【００４０】
また、例えば評価対象経路を過疎地などの地域に設定することで、かかる地域周辺に陣取りゲームのユーザが集まることになる。したがって、かかる地域への集客を手助けすることに繋がる。さらに、ユーザが、かかる地域で買い物や宿泊などを行うことで、地域の経済を活性化することに繋がる。このように、陣取りゲームを提供する運転評価サーバ１によれば、地域の活性化にも貢献することができる。
【００４１】
また、上記したように陣取りゲームでは、全国各地に多数の評価対象経路を設定することが可能であり、ユーザは、日本全国の陣地を取り合うことができる。このように、全国各地に評価対象経路を設定することで、居住区域を問わず多くのユーザが陣取りゲームに参加可能となる。このように、運転評価システム１００が構築する陣取りゲームによれば、ユーザの安全運転や省燃費運転に対する意識を楽しみながら向上させることができる。
【００４２】
以下、運転評価システム１００に含まれる運転評価サーバ１、電子装置５０および店舗端末１５０について図３Ａ〜図８を用いてさらに詳細に説明する。まず、図３Ａおよび図３Ｂを用いて電子装置５０の構成例について説明する。
【００４３】
なお、電子装置５０は、上記したように車両に設置されるドライブレコーダやナビゲーション装置、もしくは、可搬性の機器であるスマートフォンやタブレット端末などとすることができる。そこで、図３Ａでは、電子装置５０が、車両に搭載されたドライブレコーダ５０Ａである場合について説明し、図３Ｂでは、電子装置５０が、スマートフォンやタブレット端末などの可搬性のユーザ端末５０Ｂである場合について説明する。
【００４４】
図３Ａは、本実施形態に係る電子装置５０であるドライブレコーダ５０Ａの構成例を示す図である。図３Ａに示すように、ドライブレコーダ５０Ａは、通信部５１Ａと、走行データ生成部５２Ａと、位置検出部５３Ａと、Ｇセンサ５４Ａと、カメラ５５とを備える。
【００４５】
また、ドライブレコーダ５０Ａには、車両に備えられた各種センサ（以下、「車載センサ」と記載する場合がある）が接続される。かかる車載センサは、例えば、車両の走行速度を検出する速度センサＣ１、ブレーキの作動状況を検出するブレーキセンサＣ２、アクセルの作動状況を示すアクセル開度センサＣ３、エンジンの回転数を検出するエンジン回転数センサＣ４などを含む。
【００４６】
通信部５１Ａは、上記した運転評価サーバ１および店舗端末１５０との間でインターネットなどのネットワークを介して通信を行う。具体的には、通信部５１Ａは、運転評価サーバ１に対して走行データを送信し、また、運転評価サーバ１から走行状況に関する評価結果や、ユーザの順位などの情報を取得する。
【００４７】
なお、ドライブレコーダ５０Ａは、通信部５１Ａを含めない構成とすることにしてもよい。かかる場合、ドライブレコーダ５０Ａは、後述するユーザ端末５０Ｂを介して走行データを運転評価サーバ１に送信することにしてもよいし、または、車両に別途設置された通信機器を用いてかかる走行データを送信することにしてもよい。あるいは、走行データを図示しない可搬性の記憶媒体に記憶しておき、かかる記憶媒体から自宅のパソコンなど通信環境の整った機器を介して走行データを運転評価サーバ１に送信することにしてもよい。
【００４８】
走行データ生成部５２Ａは、位置検出部５３Ａ、Ｇセンサ５４Ａ、カメラ５５および車載センサから入力されるセンサ値などに基づいて走行データを生成する。具体的には、走行データ生成部５２Ａは、上記のセンサ値などにユーザＩＤや取得した時刻などの情報を関連付けた走行データを生成し、生成した走行データを通信部５１Ａに出力する。
【００４９】
また、走行データ生成部５２Ａは、後述するカメラ５５から入力される撮像画像を解析し、ユーザが搭乗する車両と前方他車両との距離、すなわち、前方車両との車間距離を算出する機能を有しており、かかる車間距離を含む走行データを出力することもできる。なお、走行データ生成部５２Ａは、車載センサの図示しないミリ波レーダのレーダ値に基づいて車間距離を算出することにしてもよい。また、走行データ生成部５２Ａは、カメラ５５から入力される撮像画像を解析することで、現在の車両の走行速度を算出する機能を備えることにしてもよい。
【００５０】
位置検出部５３Ａは、車両の現在位置を検出する。具体的には、位置検出部５３Ａは、ＧＰＳ（Global  Positioning  System）衛星から送出される電波を受信し、受信した電波を基に車両の現在地を検出する。位置検出部５３Ａによって検出された車両の位置情報は、走行データ生成部５２Ａに出力される。
【００５１】
Ｇセンサ５４Ａは、車両の進行方向や、横方向および上下方向に対する加速度を検出するセンサである。Ｇセンサ５４Ａによって検出されたセンサ値は、走行データ生成部５２Ａに出力される。
【００５２】
カメラ５５は、例えば、所定のフレームレートで車両の前方方向を撮像する撮像装置であり、例えば、ＣＣＤ（Charge  Coupled  Device）やＣＭＯＳ（Complementary  Metal  Oxide  Semiconductor）などのイメージセンサを含む。カメラ５５が撮像した撮像画像は、走行データ生成部５２Ａに出力されるとともに、ドライブレコーダ５０Ａの図示しない記憶部に記憶される。
【００５３】
かかる撮像画像は、例えば、ドライブレコーダ５０Ａに動画形式で記憶され、ユーザは、走行中にカメラ５５で撮像した動画を後から確認することができる。例えば、ユーザが運転中に危ないと感じた場面の動画を確認することで安全運転の学習に使用することができ、ユーザの安全運転に対する意識を向上させることができる。
【００５４】
また、ドライブレコーダ５０Ａは、運転評価サーバ１から評価結果や順位などの情報を受信すると、かかる情報を各車両に搭載されたディスプレイやスピーカから出力することでユーザに報知することができる。
【００５５】
このように、電子装置５０をドライブレコーダ５０Ａとする場合、ドライブレコーダ５０Ａに元々集約される走行データを活用することで、電子装置５０として容易に機能することができる。
【００５６】
続いて、電子装置５０がユーザ端末５０Ｂである場合のユーザ端末５０Ｂの構成例について図３Ｂを用いて説明する。図３Ｂは、本実施形態に係る電子装置５０であるユーザ端末５０Ｂの構成例を示す図である。
【００５７】
図３Ｂに示すように、ユーザ端末５０Ｂは、通信部５１Ｂと、走行データ生成部５２Ｂと、位置検出部５３Ｂと、Ｇセンサ５４Ｂと、報知部５６とを備える。なお、通信部５１Ｂ、位置検出部５３ＢおよびＧセンサ５４Ｂの説明については、既に説明した通信部５１Ａ、位置検出部５３ＡおよびＧセンサ５４Ａと重複するため省略する。
【００５８】
走行データ生成部５２Ｂは、位置検出部５３ＢおよびＧセンサ５４Ｂから車両の位置情報や、車両の加速度に関する情報を取得し、取得した情報にユーザＩＤおよびかかる情報を取得した時刻などを関連付けて走行データを生成する。
【００５９】
また、走行データ生成部５２Ｂは、例えば、位置検出部５３Ｂから入力される位置情報の推移に基づいて車両の走行速度を算出する機能を有しており、かかる走行速度を含む走行データを生成する。したがって、走行データ生成部５２Ｂが生成する走行データは、位置情報、加速度および走行速度を含む情報となる。また、走行データ生成部５２Ｂは、生成した走行データを通信部５１Ｂを介して運転評価サーバ１に送信する。
【００６０】
なお、ユーザ端末５０Ｂは、上記した車載センサと接続されないので、ユーザ端末５０Ｂの走行データ生成部５２Ｂが生成する走行データは、ドライブレコーダ５０Ａの走行データ生成部５２Ａが生成する走行データに比べて情報量が少ないことになる。したがって、運転評価サーバ１では、ドライブレコーダ５０Ａが生成した走行データを用いて走行状態を評価する場合は、ユーザ端末５０Ｂが生成した走行データを用いて評価する場合よりも多くの項目で走行状態を評価することが可能となる。なお、この点については、図５を用いて後述する。
【００６１】
報知部５６は、ディスプレイやスピーカを含み、運転評価サーバ１から通信部５１Ｂを介して入力される安全運転および省燃費運転に関する評価結果などをユーザに報知する。このように、ユーザに安全運転や省燃費運転に関する評価結果をフィードバックすることで、ユーザは自身の運転を省みることになる。これにより、ユーザの安全運転や省燃費運転に対する意識を向上させることができる。
【００６２】
なお、ユーザが上記したドライブレコーダ５０Ａおよびユーザ端末５０Ｂの双方を所持している場合、陣取りゲーム内でのユーザＩＤをドライブレコーダ５０Ａおよびユーザ端末５０Ｂで同期させて陣取りゲームに参加することもできる。かかる場合に、ドライブレコーダ５０Ａが生成した走行データに対する運転評価サーバ１の評価結果を、報知部５６を用いてユーザに報知することもできる。
【００６３】
また、かかる場合に、ユーザ端末５０Ｂでは、例えば、走行データを生成しないことにしてもよい。これは、上記したように、運転評価サーバ１では、ドライブレコーダ５０Ａが生成する走行データの方が、ユーザ端末５０Ｂで生成する走行データよりも走行状態を多くの項目で評価できるためである。
【００６４】
また、上記したように、ユーザ端末５０Ｂは可搬性の機器であるので、ユーザが別の車両を運転する場合であっても、かかるユーザ端末５０Ｂを所持していれば、同一のユーザＩＤで陣取りゲームに参加することができる。例えば、ユーザが、ユーザ端末５０Ｂを所持していれば、旅行先などでレンタカーを借りて同一のユーザＩＤで陣取りゲームに参加することができる。
【００６５】
なお、例えば、レンタカーなどの他車両にドライブレコーダ５０Ａが搭載されている場合に、ユーザが、かかるドライブレコーダ５０ＡにユーザＩＤやパスワードを入力することで、ユーザは同一のユーザＩＤでかかる陣取りゲームに参加可能とすることにしてもよい。
【００６６】
続いて、運転評価サーバ１の構成例について図４を用いて説明する。図４は、本実施形態に係る運転評価サーバ１の構成例を示す図である。図４に示すように、運転評価サーバ１は、通信部５と、制御部１０と、記憶部２０とを備える。
【００６７】
通信部５は、電子装置５０および店舗端末１５０との間でインターネットなどのネットワークを介して情報の通信を行う。
【００６８】
制御部１０は、各電子装置５０から入力される走行データに基づいて各車両の走行状態を評価し、かかる評価結果に基づいてユーザの順位を決定する。制御部１０は、例えば、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。かかるマイクロコンピュータのＣＰＵは、ＲＯＭに記憶されているプログラムを読み出して実行することにより、後述する制御を実現する。
【００６９】
制御部１０は、取得部１１と、経路判定部１２と、評価部１３と、順位決定部１４と、所有権決定部１５と、店舗情報出力部１６と、経路設定部１７と、売上集計部１８と、店舗決定部１９とを備える。かかる取得部１１、経路判定部１２、評価部１３、順位決定部１４、所有権決定部１５、店舗情報出力部１６、経路設定部１７、売上集計部１８および店舗決定部１９の各機能は、例えば、上記ＣＰＵが上記プログラムを読み出して実行することにより実現される。
【００７０】
なお、取得部１１、経路判定部１２、評価部１３、順位決定部１４、所有権決定部１５、店舗情報出力部１６、経路設定部１７、売上集計部１８および店舗決定部１９は、それぞれ一部または全部がＡＳＩＣ（Application  Specific  Integrated  Circuit）やＦＰＧＡ（Field  Programmable  Gate  Array）等のハードウェアで構成されてもよい。
【００７１】
取得部１１は、複数の車両内に配置された電子装置５０から各車両の走行データを取得し、各店舗にあるそれぞれの店舗端末１５０から各店舗でのユーザによる商品やサービスなどの購入履歴の情報である購入履歴情報を取得する。
【００７２】
また、取得部１１は、取得した走行データおよび購入履歴情報を経路判定部１２に出力する。なお、購入履歴情報には、店舗を識別するための店舗ＩＤ、購入したユーザのユーザＩＤや、購入した商品やサービスなどの金額、個数、購入日時などに関する情報が含まれる。
【００７３】
経路判定部１２は、取得部１１から走行データが入力されると、かかる走行データに含まれる位置情報に基づいて各電子装置５０の位置、すなわち各車両の走行位置が評価対象経路であるか否かを判定する。
【００７４】
具体的には、まず、経路判定部１２は、取得部１１から走行データが入力されると、記憶部２０から経路情報２１を取得する。かかる経路情報２１は、例えば各評価対象経路の位置情報を含む情報である。
【００７５】
続いて、経路判定部１２は、車両の走行位置と、各評価対象経路の位置情報とを照合する。照合の結果、走行位置がいずれかの評価対象経路に該当する場合、経路判定部１２は、かかる評価対象経路の経路ＩＤと、かかる評価対象経路が位置する陣地の陣地ＩＤとをかかる走行データに関連付けて評価部１３に出力する。
【００７６】
一方、走行位置がいずれの評価対象経路にも該当しなかった場合、経路判定部１２は、例えば、かかる走行データに対する制御部１０による処理を終了させる。もしくは、かかる場合に、経路判定部１２は、かかる走行データを記憶部２０に出力し、ユーザ情報データベース２３のユーザＩＤに該当するフォルダに記憶させることにしてもよい。
【００７７】
この場合、評価対象経路以外の走行データは、評価部１３に入力されないので、評価部１３は、評価対象経路での走行データについてのみ走行状態を評価することになる。したがって、評価部１３が、全ての走行データを評価する場合に比べ評価部１３による評価処理の負荷を軽減させることができる。
【００７８】
なお、経路判定部１２は、走行データの評価対象経路に該当するデータ箇所と、該当しないデータ箇所のそれぞれに識別可能なタグ付けを行い評価部１３に出力することにしてもよい。この場合、評価部１３では、全ての走行データに対して走行状態を評価し、後述する順位決定部１４で、評価対象経路のデータ箇所を示すタグが付いた評価結果に基づいてユーザの順位を決定することもできる。
【００７９】
また、経路判定部１２は、車両が評価対象経路内を所定の割合（例えば５〜８割程度）以上を走行した場合に、かかる経路を走行したと判定する、あるいは、かかる経路に複数の通過ポイントを設定しておき、車両がかかる通過ポイントを所定の数以上を通過した場合に、かかる経路を走行したと判定することにしてもよい。
【００８０】
次に、経路判定部１２の購入履歴情報に対する処理について説明する。経路判定部１２は、取得部１１から購入履歴情報が入力されると、かかる購入履歴情報に含まれる購入した商品やサービスの金額、日時などに関する情報を記憶部２０の店舗情報データベース２２に出力する。
【００８１】
かかる店舗情報データベース２２には、運転評価システム１００に予め登録された店舗（例えば、図２Ａに示した店舗端末１５０を備える店舗）の店名、住所、営業時間などに関する店舗情報が店舗ＩＤごとに異なるフォルダに記憶される。
【００８２】
経路判定部１２が購入履歴情報を記憶部２０に出力することで、店舗情報データベース２２の各店舗ＩＤのフォルダには、陣取りゲームのユーザが購入した商品名や金額などが書き加えられることになる。また、経路判定部１２は、取得した購入履歴情報に陣地ＩＤを関連付けて評価部１３に出力する。
【００８３】
また、経路判定部１２は、記憶部２０に記憶されたユーザ情報データベース２３から、購入履歴情報に含まれるユーザＩＤに該当するユーザ情報を抽出し、抽出したユーザ情報を通信部５を介して店舗端末１５０に送信する。
【００８４】
また、経路判定部１２は、走行データが示す車両の走行位置が店舗情報データベース２２に登録された店舗から所定の範囲内にあると判定した場合、店舗情報データベース２２の中から該当する店舗の店舗情報を抽出し、抽出した店舗情報を店舗情報出力部１６に出力する。
【００８５】
店舗情報出力部１６は、経路判定部１２から店舗情報が入力されると、かかる店舗情報を上記した所定の範囲内に存在する電子装置５０に出力する。換言すると、ユーザは、現在地周辺の店舗情報を受け取ることになる。このように、店舗情報出力部１６は、ユーザの現在地に近い店舗に関する店舗情報を電子装置５０に送信することで、ユーザが、かかる店舗に立ち寄りやすくなる。
【００８６】
なお、店舗情報は、ユーザがかかる店舗で使用可能な特典情報を含む情報であってもよい。このように、店舗情報に特典情報を含むようにすることで、特典情報を受け取ったユーザのかかる店舗を利用する確率を向上させることができる。したがって、かかる店舗の集客力の向上にも繋がる。
【００８７】
また、店舗情報出力部１６は、記憶部２０のユーザ情報データベース２３に記憶されたユーザ情報に基づいてユーザごとに異なる店舗情報を送信することにしてもよい。例えば、かかるユーザ情報には、ユーザの趣味嗜好などに関する情報が含まれている。そして、店舗情報出力部１６は、かかるユーザの趣味嗜好に合う店舗情報を店舗情報データベース２２から抽出し、抽出したかかる店舗情報をかかるユーザの電子装置５０に送信する。
【００８８】
このように、店舗情報出力部１６では、ユーザの趣味嗜好にあった店舗の店舗情報を送信することで、かかる店舗情報を受け取ったユーザのかかる店舗に対する興味を持つ確率を向上させることができる。したがって、ユーザのかかる店舗を訪れる確率を向上させることができる。
【００８９】
評価部１３は、走行評価部１３ａおよび買物評価部１３ｂを備え、走行評価部１３ａは、予め設定された経路内での車両の走行状態を走行データに基づいて評価する。また、買物評価部１３ｂは、購入履歴情報に基づいてユーザを評価する。
【００９０】
具体的には、走行評価部１３ａは、走行データを取得すると記憶部２０から評価基準情報２４を取得し、かかる走行データを評価基準情報２４に基づき車両の走行状態を評価する。
【００９１】
また、例えば、ユーザには、各評価対象経路のスタート時に１００点の評価ポイントが与えられているものとする。走行評価部１３ａは、かかる評価対象経路内での走行状態に応じてかかる評価ポイントに加点もしくは減点を行っていく。そして、ユーザが評価対象経路を完走後に所持している評価ポイントを、かかる評価対象経路においてユーザが獲得した評価ポイントとする。
【００９２】
なお、かかる評価ポイントが高いほど高い評価結果であるものとする。つまり、ユーザは、安全運転や省燃費運転を行った場合に評価ポイントが加点され、安全運転や省燃費運転に反する運転を行った場合に評価ポイントが減点されることになる。
【００９３】
ここで、図５を参照して評価部１３の走行評価部１３ａによる評価処理の具体例について説明しておく。図５は、評価基準情報２４の具体例を示す図である。図５に示すように、評価基準情報２４は、例えば、「減速時」、「加速時」、「停車時」、「巡航時」に区分された各走行状態に応じて異なる評価項目と加点もしくは減点される評価ポイントとが関連付けられた情報である。なお、図５に示す「＋５点」、「−５点」は、加点や減点の一例であり、項目ごとに任意の点数とすることができる。
【００９４】
走行評価部１３ａは、走行データの中から走行速度が所定期間内で所定の割合を超えて減少しているデータ箇所を検出した場合に、かかるデータ箇所にてユーザが急ブレーキを行ったと判定する。また、走行評価部１３ａは、走行データの中から、走行速度が所定期間内に所定の割合を超えて増加しているデータ箇所を検出した場合に、かかるデータ箇所にてユーザが急加速を行ったと判定する。
【００９５】
車両の燃費は、急ブレーキや急加速によって悪化する。このため、走行評価部１３ａは、急ブレーキ、急加速と判定する毎に評価ポイントを「−５点」する。すなわち５点を減点する。
【００９６】
なお、走行評価部１３ａは、急ブレーキ、急加速を、Ｇセンサ５４ＡおよびＧセンサ５４Ｂから入力されるセンサ値に基づいて検出することにしてもよい（図３Ａ、図３Ｂ参照）。この場合、走行評価部１３ａは、かかるセンサ値が所定範囲を超えることを検出した場合、すなわち、車両に所定範囲以上の振動が生じた場合に、急ブレーキや急加速であると判定することにしてもよい。
【００９７】
ところで、上記したようにドライブレコーダ５０Ａの生成する走行データは、ユーザ端末５０Ｂの生成する走行データよりも多くのデータを含む。したがって、走行評価部１３ａでは、電子装置５０がドライブレコーダ５０Ａである場合に、ユーザ端末５０Ｂである場合よりも走行状態を多くの評価項目に関して評価することが可能となる。
【００９８】
そこで、評価基準情報２４に、電子装置５０がドライブレコーダ５０Ａである場合と、ユーザ端末５０Ｂである場合とで異なる評価基準を設けることにしてもよい。図５では、「減速時」における「エンジンブレーキを使用」、「停車時」における「アイドリングストップ」および「巡航時」における「車間距離が所定距離以上」などの評価項目については、電子装置５０がドライブレコーダ５０Ａである場合にのみ適用する場合について例示している。
【００９９】
具体的には、例えば、走行評価部１３ａが走行状態を評価するうえで、「減速時」における「エンジンブレーキを使用」は、走行速度とブレーキセンサＣ２やアクセル開度センサＣ３のセンサ値とを必要とし、「停車時」における「アイドリングストップ」は、走行速度とエンジン回転数センサＣ４のセンサ値とを必要とする。また、「巡航時」における「車間距離が所定値以上」は、走行速度と車間距離との情報が必要となる。
【０１００】
ここで、走行評価部１３ａは、ドライブレコーダ５０Ａから入力される走行データに基づいて、例えば、走行速度が減速を示す状況下でブレーキセンサＣ２のセンサ値が所定値以下である場合、ユーザが減速時にエンジンブレーキを使用したと判定する。また、走行評価部１３ａは、走行速度が「０」である状況が一定時間続く間のエンジン回転数センサＣ４のセンサ値が「０」を示す場合に、ユーザが停車時にアイドリングストップを行ったと判定する。
【０１０１】
上記した「エンジンブレーキ」や「アドリングストップ」は、省燃費運転を促進するものである。そのため、走行評価部１３ａは、「エンジンブレーキ」や「アイドリングストップ」と判定する毎に「＋５点」の評価ポイントをユーザに加算する。
【０１０２】
また、走行評価部１３ａは、「巡航時」、すなわち車両が走行中の走行速度が略一定である場合に、「車間距離が所定距離以上」であると判定すると、「＋５点」の評価ポイントをユーザに加算する。これは、ユーザが車間距離を所定距離以上とって運転することで安全運転に繋がるためである。なお、上記した車間距離の所定距離は、車両の走行速度に応じて異なる値が設定されていてもよい。
【０１０３】
このように、走行評価部１３ａでは、ユーザが電子装置５０にドライブレコーダ５０Ａを使用する場合に、ユーザ端末５０Ｂを使用する場合よりも走行状態を多くの項目について評価することができる。また、この場合に、運転評価サーバ１には、より詳細な走行データが蓄積されることになる。
【０１０４】
また、図５に示す例では、ユーザは電子装置５０がドライブレコーダ５０Ａである場合にユーザ端末５０Ｂである場合よりも優位に陣取りゲームに参加することができる。これにより、ユーザ端末５０Ｂで陣取りゲームに参加するユーザに対してドライブレコーダ５０Ａの購入を促進することができる。
【０１０５】
なお、例えば、評価対象経路によっては、評価ポイントを獲得しやすい経路と、獲得し難い経路とがある場合がある。そこで、上記した評価基準情報２４は、評価対象経路ごとに異なる評価基準を設定し、各評価対象経路において獲得可能な評価ポイントを平滑化することにしてもよい。
【０１０６】
また、走行評価部１３ａは、評価対象経路内での法定速度などの道路交通法に対する評価を行うこともできる。この場合、例えば、記憶部２０の経路情報２１には、各評価対象経路における法定速度などの道路交通法に関する情報が関連付けられて記憶されているものとする。
【０１０７】
そして、走行評価部１３ａは、記憶部２０から経路判定部１２を介して評価対象経路における道路交通法に関する情報を取得し、かかる道路交通法と、走行データとを照合することで、道路交通法に関する評価を行う。
【０１０８】
例えば、走行評価部１３ａは、評価対象経路の法定速度＋１０Ｋｍ／ｈを超える走行速度の走行データを検出する場合、ユーザの所持している評価ポイントから所定の評価ポイントを減点することにしてもよい。また、走行評価部１３ａは、評価対象経路内で道路交通法を全て遵守したユーザに対して所定の評価ポイントを付与することにしてもよい。
【０１０９】
このように、走行評価部１３ａで、道路交通法についてユーザを評価することで、ユーザの道路交通法の遵守に対する意識を向上させることができる。また、ユーザの道路交通法に対する意識を向上させることで、安全運転に対する意識を向上させることにも繋がる。
【０１１０】
なお、走行評価部１３ａは、評価結果である評価ポイントを走行データに関連付けて記憶部２０のユーザ情報データベース２３にあるユーザＩＤに該当するフォルダに出力するとともに、通信部５を介してユーザＩＤの所有する電子装置５０に送信する。
【０１１１】
図４の説明に戻って、評価部１３の買物評価部１３ｂによる処理について説明する。買物評価部１３ｂは、経路判定部１２から入力される購入履歴情報に基づいてユーザに評価ポイントを付与する。
【０１１２】
例えば、買物評価部１３ｂは、購入履歴情報に含まれるユーザが購入した商品およびサービスの金額、あるいは購入数に応じてユーザに評価ポイントを付与する。買物評価部１３ｂは、付与した評価ポイントを記憶部２０に出力し、ユーザ情報データベース２３のユーザＩＤに該当するファイルに記憶させる。
【０１１３】
このように、ユーザには商品またはサービスを購入することで評価ポイントが付与されるので、店舗でのユーザによる商品やサービスの購入を促進することができる。なお、買物評価部１３ｂは、ユーザが購入する商品およびサービス、あるいは、購入した店舗ごとに異なる重み付けで評価ポイントを付与するなど、評価ポイントの付与率を任意に変更することにしてもよい。
【０１１４】
順位決定部１４は、評価部１３による評価結果である評価ポイントに基づいてユーザの順位を決定する。具体的には、まず、順位決定部１４は、記憶部２０のユーザ情報データベース２３から各ユーザが取得した評価ポイントを評価部１３を介して取得する。かかる評価ポイントには、評価ポイントを獲得したユーザのユーザＩＤ、かかるユーザが所属するグループのグループＩＤ、評価ポイントを獲得した経路の経路ＩＤ、かかる経路が含まれる陣地の陣地ＩＤ、評価ポイントを獲得した時刻などに関する情報が関連付けられているものとする。
【０１１５】
続いて、順位決定部１４は、例えば、各ユーザが評価ポイントを獲得した期間を指定して、かかる期間の評価ポイントをユーザＩＤごとに集計し、集計結果に基づいてユーザの順位を決定する。かかる期間は、例えば、評価対象経路が変更されてから次に評価対象経路が変更されるまでの期間である。なお、以下では、かかる期間を評価対象期間と記載する場合がある。
【０１１６】
また、順位決定部１４は、かかる評価対象期間内に同一のユーザＩＤかつ同一の経路ＩＤが関連付けられた評価ポイントが複数存在した場合、すなわち、同一のユーザが同一経路を何度も走行した場合にかかる経路で最も高い評価ポイントのみを集計し、かかる集計結果に基づいて順位を決定することもできる。換言すると、評価対象期間内では、一つの評価対象経路に対する評価ポイントは最も高い評価のみが集計される。
【０１１７】
また、順位決定部１４は、ユーザＩＤまたはグループＩＤと、陣地ＩＤとに基づいて評価ポイントを集計することで、評価対象期間における各陣地におけるユーザおよびグループの順位を決定することもできる。
【０１１８】
順位決定部１４は、評価対象期間における各陣地でのユーザおよびグループの順位を決定すると、かかる順位とグループＩＤおよびユーザＩＤごとに集計した評価ポイントとを関連付けた順位情報を生成し、かかる生成した順位情報を所有権決定部１５に出力する。また、順位情報は、通信部５を介して各電子装置５０に送信される。
【０１１９】
また、順位決定部１４は、例えば、評価対象経路が変更されるタイミングで、変更される前の評価対象期間における都道府県や地方ごとのユーザおよびグループの順位を決定することにしてもよい。
【０１２０】
所有権決定部１５は、順位決定部１４が決定したユーザまたはユーザが所属するグループの順位に基づいて評価対象経路を含む領域、すなわち各陣地の仮想的な所有権（以下、単に所有権と記載する）を付与するユーザまたはグループを決定する。
【０１２１】
なお、以下では、説明の便宜のため、所有権決定部１５が、かかる所有権をグループに対して付与する場合について説明するが、所有権をユーザに対して付与することにしてもよい。
【０１２２】
具体的には、所有権決定部１５は、順位決定部１４から順位情報が入力されると、かかる順位情報に基づき、かかる各陣地における順位が１位のグループにかかる陣地の仮想的な所有権を付与する。すなわち、順位決定部１４は、評価対象期間内に各陣地内で最も多くの評価ポイントを獲得したグループに対して各陣地の所有権を付与する。
【０１２３】
なお、所有権決定部１５は、例えば期間を指定せずに全ての評価ポイントに基づいて各陣地の所有権を決定することにしてもよい。この場合、例えば、順位決定部１４は、期間を指定せず、すべての評価ポイントを対象として各陣地におけるグループの順位を決定し、かかる順位に基づく順位情報を所有権決定部１５に出力する。所有権決定部１５は、かかる順位情報に基づいて各陣地の所有権を決定することで、全ての評価ポイントに対する所有権を決定することもできる。
【０１２４】
なお、所有権決定部１５は、各陣地の所有権を決定すると、通信部５を介して各電子装置５０に送信する。また、所有権決定部１５は、各陣地を所有するグループの情報を記憶部２０に出力し、所有権情報２５として記憶させる。
【０１２５】
また、所有権決定部１５は、隣接する陣地で所定条件が成立した場合に、陣地を所有するグループを変更することにしてもよい。かかる所定条件は、例えば、一つのグループが所有する二つの陣地で、他のグループが所有する一つの陣地を挟み込んだ場合に成立する。
【０１２６】
ここで、図６を参照して陣取りゲームのルールの詳細について説明しておく。図６は、陣取りゲームにおける変則ルールを説明する図である。図６に示すように、陣地Ｔ１は、グループＡが所有する陣地であり、かかる陣地Ｔ１の右隣に位置する陣地Ｔ２は、グループＢの陣地である。さらに、陣地Ｔ２の右隣に位置する陣地Ｔ３は、グループＣの陣地である。
【０１２７】
例えば、陣地Ｔ３においてグループＡが最も評価ポイントを獲得した場合に、所有権決定部１５は、図６に示すように、陣地Ｔ３の所有権をグループＣからグループＡに変更する。また、この場合、グループＡが所有する二つの陣地Ｔ１およびＴ３は、グループＢが所有する陣地Ｔ２を挟み込むことになるので、上記した所定条件が成立することになる。
【０１２８】
したがって、この場合に、所有権決定部１５は、陣地Ｔ２の所有権をグループＢからグループＡに変更する。このように、所有権決定部１５は、所定条件が成立した場合に所有権を変更するので、ユーザは、効率的に陣取りゲームを進めることができるようになる。なお、かかる所定条件は、上記した例に限られず、任意に変更することができる。また、陣地ごとに異なる条件を設定することにしてもよい。
【０１２９】
図４の説明に戻って、経路設定部１７による処理について説明する。経路設定部１７は、陣地ごとに複数の評価対象経路を設定し、かかる複数の評価対象経路を所定のタイミングで変更する。かかる所定のタイミングは、例えば１ヵ月ごとや３ヵ月ごとなど周期性を持つタイミングであってもよいし、特に周期性を持たないタイミングであってもよい。また、経路設定部１７は、例えば夏休みなどユーザの陣取りゲームへの参加が活動になることが見込まれる期間を限定して評価対象経路を変更または追加することにしてもよい。
【０１３０】
このように、経路設定部１７は、所定のタイミングで評価対象経路を変更することで、ユーザは評価対象経路が変更される毎に異なる経路を訪れることになる。したがって、評価対象経路を常に固定している場合よりも多くの店舗にユーザを集客することができるとともに、運転評価サーバ１には、より多くの経路での走行データを蓄積することができる。
【０１３１】
なお、経路設定部１７は、運転評価サーバ１の管理者からの指示に従って評価対象経路を設定することにしてもよいし、経路設定部１７が、ランダムに評価対象経路を設定することにしてもよい。また、経路設定部１７は、ドライブレコーダ５０Ａとユーザ端末５０Ｂとで異なる経路を設定することにしてもよい。
【０１３２】
また、経路設定部１７は、評価対象経路を設定すると、記憶部２０に記憶された経路情報２１を更新するとともに、かかる経路情報２１を通信部５に出力する。通信部５は、経路設定部１７から経路情報２１が入力されると、各電子装置５０にかかる経路情報２１を送信する。また、例えば、経路情報２１を所定のウェブページ上に更新することにしてもよい。これにより、ユーザは、更新された経路情報２１を確認することができる。
【０１３３】
なお、経路設定部１７は、経路情報２１を変更すると、かかる評価対象経路周辺の店舗情報を記憶部２０の店舗情報データベース２２から抽出し、抽出した店舗情報および経路情報２１を通信部５に出力することにしてもよい。この場合、ユーザは、評価対象経路のみならず、かかる評価対象経路周辺の店舗情報も確認することができる。したがって、かかる店舗情報に興味を持つユーザの陣取りゲームへの参加を促すことができる。
【０１３４】
また、かかる店舗情報は、自治体などが主催する農業体験や漁業体験などのユーザ体験型のイベントに関する情報であってもよい。このように、店舗情報をユーザ体験型のイベントにすることで店舗が少ない地域にも、陣取りゲームのユーザを集客することができる。
【０１３５】
また、農業体験などのユーザ参加型のイベントにすることで、郊外に住むユーザや、家族連れのユーザなどを、かかるイベントを開催する地域に集めることができる。このため、陣取りゲームによって地域活性化に貢献することができる。
【０１３６】
また、経路設定部１７は、例えば複数の道の駅を結ぶ経路など、評価対象経路に特定のテーマを持たすようにしてもよい。このようにすることで、かかるテーマに興味を持つユーザに対して陣取りゲームへの参加を促すことができる。
【０１３７】
また、経路設定部１７は、店舗端末１５０ごとに異なる評価対象経路を含む経路情報２１を送信しておき、店舗端末１５０では、かかる店舗を訪れたユーザやかかる店舗で買物をしたユーザに、かかる経路情報２１を提示することにしてもよい。
【０１３８】
このようにすることで、ユーザがより多くの評価ポイントを獲得し、陣取りゲームを優位に進行させるためには、多くの店舗を訪れる必要が生じる。したがって、ユーザに多くの店舗に足を運んでもらうことができ、店舗での集客力の向上に貢献することができる。
【０１３９】
なお、評価対象経路には、渋滞が発生しにくい経路を設定することが好ましい。これは、渋滞が発生すると車両の燃費の悪化を招き、省燃費運転を推奨するはずの陣取りゲームが、かえって省燃費運転を阻害してしまうおそれがあるためである。
【０１４０】
売上集計部１８は、購入履歴情報に基づいて店舗ごとにユーザによる売り上げを集計する。具体的には、まず、売上集計部１８は、記憶部２０の店舗情報データベース２２から店舗ごとに評価対象期間内における購入履歴情報を取得する。
【０１４１】
続いて、売上集計部１８は、取得した評価対象期間内の購入履歴情報に基づいて店舗ごとの売り上げを集計する。例えば、売上集計部１８は、店舗ごとに購入された商品またはサービスの総額および個数のそれぞれについて集計する。
【０１４２】
また、売上集計部１８は、集計した店舗ごとの売り上げの集計結果である売上情報を店舗決定部１９に出力する。なお、売上集計部１８は、評価対象経路が変更される毎に売上を集計し、売上情報を店舗決定部１９に出力するものとする。
【０１４３】
店舗決定部１９は、所定の条件を満たすユーザに特典の送付を依頼する店舗を売上集計部１８の集計結果に基づいて決定する。具体的には、店舗決定部１９は、所有権決定部１５から所定の条件を満たすユーザのユーザ情報が入力されると、売上集計部１８から入力される売上情報に基づいて特典の送付を依頼する店舗を決定する。
【０１４４】
例えば、店舗決定部１９は、売上情報に基づいて各都道府県で売上額が上位の店舗の店舗端末１５０に対して特典の送付先を示すユーザ情報などを含む特典送付要求を通信部５を介して送信する。かかる店舗端末１５０を所持する店舗のオーナーは、特典送付要求が入力されると、例えば、かかる店舗の商品やかかる店舗で使用可能な商品券などをユーザに発送する。なお、店舗決定部１９は、売上額が所定の金額以上である全ての店舗端末１５０に特典の送付を依頼することにしてもよい。
【０１４５】
つまり、店舗決定部１９は、陣取りゲームで一定以上の恩恵を受けた店舗に特典の送付を依頼することになる。このように、運転評価システム１００では、店舗からユーザによる売り上げの一部を陣取りゲームに還元してもらい、ユーザに特典を付与することで特典がない場合よりもユーザの陣取りゲームへの参加を促すことができる。ユーザの陣取りゲームへの参加が強化されると、各店舗でのユーザによる売り上げが増加することが期待される。
【０１４６】
なお、例えば、かかる所定の条件を満たすユーザは、評価対象期間内における獲得した評価ポイントに基づいて運転評価サーバ１の管理者によって選定されることにしてもよいし、運転評価サーバ１の制御部１０によって選定されることにしてもよい。また、運転評価サーバ１は、売上集計部１８および店舗集計部１９を含めない構成とすることにしてもよい。かかる場合に、売上集計部１８および店舗集計部１９の各機能を運転評価サーバ１の管理者が行うことにしてもよい。
【０１４７】
記憶部２０は、経路情報２１、評価基準情報２４および所有権情報２５を記憶し、店舗情報データベース２２およびユーザ情報データベース２３を備える。
【０１４８】
続いて、店舗端末１５０の構成例について図７を用いて説明する。図７は、本実施形態に係る店舗端末１５０の構成例を示す図である。図７に示すように、店舗端末１５０は、通信部１５１と、制御部１６０と、記憶部１７０とを備える。
【０１４９】
通信部１５１は、上記した運転評価サーバ１および電子装置５０との間でインターネットなどのネットワークを介して情報の通信を行う。
【０１５０】
制御部１６０は、店舗に訪れるユーザを識別し、購入履歴情報を生成する。制御部１６０は、例えば、ＣＰＵ（Central  Processing  Unit）であり、店舗端末１５０の全体制御を行う。また、制御部１６０は、購入受付部１６１と、ユーザ識別部１６２と、売上解析部１６３とを備える。
【０１５１】
購入受付部１６１は、店舗でのユーザによる商品やサービスの購入を受け付ける。具体的には、例えば、購入受付部１６１は、商品の購入を受け付ける際に、かかる商品に記載されたラベルから、商品名、金額などに関する情報(以下、「商品情報」と記載する)を読み取り、かかる商品情報をユーザ識別部１６２に出力する。
【０１５２】
ユーザ識別部１６２は、店舗で商品やサービスを購入するユーザを識別する。例えば、運転評価システム１００では、各電子装置５０に対してユーザＩＤが記載されたＩＤ画像を予め配布しているものとする。そして、ユーザが商品やサービスを購入する際に、ユーザ識別部１６２が、かかるＩＤ画像をスキャンすることでユーザＩＤを取得する。
【０１５３】
続いて、ユーザ識別部１６２は、ユーザＩＤおよび購入受付部１６１から入力される商品情報などを関連付けた情報である購入履歴情報を生成し、かかる購入履歴情報を通信部１５１を介して運転評価サーバ１に送信する。また、ユーザ識別部１６２は、取得したユーザＩＤをキーとしてかかるユーザＩＤに該当するユーザ情報を運転評価サーバ１から取得する。
【０１５４】
ユーザ識別部１６２は、運転評価サーバ１から、かかるユーザ情報が入力されると、かかるユーザ情報と、購入受付部１６１から入力される商品情報とを関連付けた情報である売上情報１７１を生成し、かかる売上情報１７１を記憶部１７０に記憶させる。
【０１５５】
なお、ユーザ識別部１６２のユーザの識別方法は、上記した例に限定されない。例えば、ユーザ識別部１６２に生体認証機能を持たせておき、かかる生体認証機能を用いてユーザを識別する、あるいは、ユーザＩＤとユーザのクレジットカードとを関連付けて記憶させておき、ユーザがクレジットカードで決済を行った場合に、かかるクレジットカードからユーザＩＤを取得することでユーザを識別するなど、任意の方法でユーザを識別することにしてもよい。
【０１５６】
売上解析部１６３は、記憶部１７０に記憶された売上情報１７１を解析する。具体的には、売上解析部１６３は、所定周期で売上情報１７１を解析し、商品ごとの客層や、商品ごとの売れ行きの動向などを解析することができる。
【０１５７】
売上解析部１６３による解析結果は、例えば、店舗端末１５０の図示しないディスプレイに表示される。店舗管理者は、かかる解析結果に基づいて営業戦略や広告戦略を立てることができる。
【０１５８】
記憶部１７０は、売上情報１７１を記憶する。また、記憶部１７０は、例えばＲＡＭ（Random  Access  Memory）、フラッシュメモリ等の半導体メモリ素子、または、ハードディスク、光ディスク等の記憶装置である。
【０１５９】
続いて、図８を用いて運転評価サーバ１の処理手順について説明する。図８は、本実施形態に係る運転評価サーバ１の処理手順を示すフローチャートである。図８に示す処理は、運転評価サーバ１の制御部１０によって繰り返し実行される。
【０１６０】
図８に示すように、まず、運転評価サーバ１の取得部１１は、複数の車両内に配置された電子装置５０から複数の車両の走行データを取得する（ステップＳ１０１）。続いて、経路判定部１２は、かかる走行データに基づいて電子装置５０の位置、すなわち、車両の走行位置は評価対象経路内か否かを判定する（ステップＳ１０２）。
【０１６１】
ステップＳ１０２の判定において、車両の走行位置が評価対象経路内でなかった場合（ステップＳ１０２，Ｎｏ）、制御部１０では、ステップＳ１０１以降の処理を繰り返す。一方、ステップＳ１０２の判定において、車両の走行位置が評価対象経路内であった場合（ステップＳ１０２，Ｙｅｓ）、評価部１３の走行評価部１３ａは、評価対象経路内での走行状態を評価する（ステップＳ１０３）。
【０１６２】
続いて、走行評価部１３ａは、走行状態に応じて評価ポイントをユーザに付与する（ステップＳ１０４）。続いて、評価部１３の買物評価部１３ｂは、評価対象経路周辺での購入履歴情報があるか否かを判定する（ステップＳ１０５）。
【０１６３】
ステップＳ１０５の判定において、購入履歴情報がある場合（ステップＳ１０５，Ｙｅｓ）、買物評価部１３ｂは、購入履歴情報に基づいて評価ポイントを加算する（ステップＳ１０６）。
【０１６４】
一方、ステップＳ１０５の判定において、評価対象経路周辺での購入履歴情報がなかった場合（ステップＳ１０５，Ｎｏ）、ステップＳ１０７以降の処理を行う。続いて、順位決定部１４は、グループごとの評価ポイントを陣地単位で集計し、陣地ごとにグループの順位を決定する（ステップＳ１０７）。
【０１６５】
続いて、所有権決定部１５は、順位決定部１４が決定した順位に基づいて各陣地の仮想的な所有権を付与するグループを決定する（ステップＳ１０８）。続いて、店舗決定部１９は、かかる所定の条件を満たすユーザに対して都道府県単位で売上額上位の店舗に特典の送付を依頼して処理を終了する（ステップＳ１０９）。
【０１６６】
なお、ステップＳ１０９の処理は、例えば、評価対象経路が変更されるタイミングで行われるものとする。
【０１６７】
上述してきたように、本実施形態に係る運転評価サーバ１は、取得部１１と、評価部１３と、順位決定部１４とを備える。取得部１１は、複数の移動体内に配置された電子装置５０から複数の移動体の走行データを取得する。評価部１３は、予め設定された経路における複数の移動体の走行状態を走行データに基づいて評価する。順位決定部１４は、評価部１３の評価結果に基づいて電子装置５０のユーザの順位を決定する。したがって、本実施形態に係る運転評価サーバ１によれば、ユーザに安全運転や低燃費運転に対する意識を向上させることができる。
【０１６８】
ところで、上述してきた実施形態では、陣取りゲームが日本を舞台とする場合について説明したが、これに限られない。すなわち、陣取りゲームの舞台を、外国とすることにしてもよい。また、ユーザが走行した位置に応じて実在しない舞台の陣地を付与することにしてもよい。
【０１６９】
さらなる効果や変形例は、当業者によって容易に導き出すことができる。このため、本発明のより広範な様態は、以上のように表しかつ記述した特定の詳細および代表的な実施形態に限定されるものではない。したがって、添付の特許請求の範囲および、その均等物によって定義される統括的な発明の概念の精神または範囲から逸脱することなく、様々な変化が可能である。
【符号の説明】
【０１７０】
１    運転評価サーバ
５    通信部
１０    制御部
１１    取得部
１２    経路判定部
１３    評価部
１３ａ  走行評価部
１３ｂ  買物評価部
１４    順位決定部
１５    所有権決定部
１６    店舗情報出力部
１７    経路設定部
１８    売上集計部
１９    店舗決定部
５０    電子装置
５０Ａ  ドライブレコーダ
１５０  店舗端末
【図１】
0006692671.tif 000002
【図２Ａ】
0006692671.tif 000003
【図２Ｂ】
0006692671.tif 000004
【図３Ａ】
0006692671.tif 000005
【図３Ｂ】
0006692671.tif 000006
【図４】
0006692671.tif 000007
【図５】
0006692671.tif 000008
【図６】
0006692671.tif 000009
【図７】
0006692671.tif 000010
【図８】
0006692671.tif 000011